(57)【要約】【課題】衛生環境を維持しつつ、被剖検体の移動作業を容易に行なうことができる解剖システムを提供することを目的とする。【解決手段】解剖台１と、流し台３と、解剖施設に配設された排気ダクト４とを備えた解剖システムであって、解剖台１は、水平方向に移動可能で、かつ上流側端部に吸気部１３が形成された吸気ダクト２を有し、流し台３に排気ダクトの上流側端部４ａが付設され、吸気ダクトの下流側端部２ｄが、排気ダクト４の上流端に形成された吸込口１４に対して接離可能に設けられたことを特徴とする。【選択図】図１
2019013521.tif 000002
【特許請求の範囲】
【請求項１】
解剖台と、流し台と、解剖施設に配設された排気ダクトとを備えた解剖システムであって、前記解剖台は水平方向に移動可能に設けられ、前記解剖台は、上流側端部に吸気部が形成された吸気ダクトを有し、前記流し台に前記排気ダクトの上流側端部が付設され、前記吸気ダクトの下流側端部が、前記排気ダクトの上流端に形成された吸込口に対して接離可能に設けられたことを特徴とする解剖システム。
【請求項２】
前記解剖台の移動操作によって、前記吸込口に対する前記吸気ダクトの下流側端部の接離操作を可能としたことを特徴とする請求項１に記載の解剖システム。
【請求項３】
前記排気ダクトに排気ファンが介装され、前記吸気ダクトは、下流側端部の先端部を前記吸込口に挿入することで吸込口に接続可能とされ、前記先端部を所定位置まで吸込口に挿入したときに、前記排気ファンの運転をＯＮにする運転スイッチが設けられたことを特徴とする請求項１又は２に記載の解剖システム。
【請求項４】
前記吸気ダクトの下流側端部の長さ方向の少なくとも一部がフレキシブル配管で構成されていることを特徴とする請求項３に記載の解剖システム。
【請求項５】
前記解剖台は、水平方向に移動可能な架台と、前記架台上に置かれ、被剖検体を載置するトレイとを備え、前記吸気ダクトの下流側端部が吸込口に接続された状態で、前記トレイが前記流し台に架け渡し可能とされたことを特徴とする請求項１〜４のいずれか１項に記載の解剖システム。
【請求項６】
前記トレイは、水平方向の一方向の一端が前記流し台に架け渡し可能に設けられ、前記トレイが前記流し台に架け渡された状態で、前記トレイの一方向の他端側が一端側よりも高くなるように傾斜させる傾斜装置が設けられたことを特徴とする請求項５に記載の解剖システム。
【請求項７】
解剖施設内で使用される解剖台であって、前記解剖台は、水平方向に移動可能に設けられ、前記解剖台は、上流側端部に吸気部が形成された吸気ダクトを有し、前記吸気ダクトは、前記解剖施設に配設された排気ダクトに接離可能とされたことを特徴とする解剖台。
【発明の詳細な説明】
【技術分野】
【０００１】
本発明は、系統解剖、病理解剖、法医解剖等に使用される解剖システムに関するものである。
【背景技術】
【０００２】
従来、解剖システムとしては、特許文献１に示すように、作業性及び衛生的観点から、流し台と、流し台に横付けするように設置された解剖台とで構成されたものが知られている。多くの場合、流し台と、解剖台とは、平面視でＬ字状やＴ字状になるように配設される。また、解剖台には衛生環境を維持するために、被剖検体から発生するホルムアルデヒドなどの有害ガスを吸引する吸気管（吸気ダクト）が設けられており、吸気管は解剖施設に配設された排気管（排気ダクト）に接続される。解剖台は流し台や排気管の位置に合わせて固定配置される。
【先行技術文献】
【特許文献】
【０００３】
【特許文献１】特開平６−３１５４８５号公報
【発明の概要】
【発明が解決しようとする課題】
【０００４】
しかしながら、解剖施設においては、解剖台、流し台のほかに、被剖検体を安置する保冷庫や作業台なども設置される。被剖検体は、保冷庫から解剖台に移動させる必要があるが、上記スペース上の制約により、被剖検体を保冷庫から解剖台に移動させるための動線を十分に確保することが難しく、被剖検体の移動作業は手間がかかる作業となっていた。
【０００５】
そこで、本発明においては、上記問題に鑑み、衛生環境を維持しつつ、被剖検体の移動作業を容易に行なうことができる解剖システムを提供することを目的とする。
【課題を解決するための手段】
【０００６】
上記目的を達成するために、本発明の一態様としての解剖システムは、解剖台と、流し台と、解剖施設に配設された排気ダクトとを備え、前記解剖台は水平方向に移動可能に設けられ、前記解剖台は、上流側端部に吸気部が形成された吸気ダクトを有し、前記流し台に前記排気ダクトの上流側端部が付設され、前記吸気ダクトの下流側端部が、前記排気ダクトの上流端に形成された吸込口に対して接離可能に設けられたことを特徴とする。
【０００７】
前記吸気ダクトの下流側端部と前記吸込口とを同じ高さに配設し、前記解剖台の移動操作によって、前記吸込口に対する前記吸気ダクトの下流側端部の接離操作を可能としてもよい。
【０００８】
前記排気ダクトに排気ファンが介装され、吸気ダクトは、下流側端部の先端部を前記吸込口に挿入することで吸込口に接続可能とされ、前記線端部を所定位置まで吸込口に挿入したときに、前記排気ファンの運転をＯＮにする運転スイッチが設けられた構成としてもよい。
【０００９】
前記吸気ダクトの下流側端部の長さ方向の少なくとも一部がフレキシブル配管で構成されているようにしてもよい。
【００１０】
前記解剖台は、水平方向に移動可能な架台と、前記架台上に置かれ、被剖検体を載置するトレイとを備え、前記吸気ダクトの下流側端部が吸込口に接続された状態で、前記トレイが前記流し台に架け渡し可能であるようにしてもよい。
【００１１】
前記トレイは、水平方向の一方向の一端が前記流し台に架け渡し可能に設けられ、前記トレイが前記流し台に架け渡された状態で、前記トレイの一方向の他端側が一端側よりも高くなるように傾斜させる傾斜装置を設けるようにしてもよい。
【発明の効果】
【００１２】
本発明の一態様によれば、解剖台を水平方向に移動可能としたため、解剖台を被剖検体移動用のストレッチャーとして利用することができるとともに、従来、固定配置されていた解剖台のスペースを被剖検体移動用の動線として利用することが可能となる。従って、被剖検体を移動させるための動線を十分に確保することができ、被剖検体の移動作業を容易に行なうことができる。また、流し台に排気ダクトの上流側端部を付設し、排気ダクトの上流端に形成された吸込口に対して、解剖台の排気ダクトを接離可能に設けたため、解剖台を移動可能としながらも、有害ガスの吸引が可能となり、衛生環境を維持することができる。
【図面の簡単な説明】
【００１３】
【図１】本実施形態の解剖システムを示す側面図であり、昇降機構によって解剖台の上部フレームを上昇させた状態を示す。
【図２】図１の正面図
【図３】図１の上部フレームを下降させた状態を示す解剖システムの側面図
【図４】図３の正面図
【図５】図３の平面図
【図６】本実施形態の解剖台の吸気ダクトを一部省略した側面図であり、昇降機構によって上部フレームを上昇させた状態を示す。
【図７】昇降機構の一部を示す拡大斜視図
【図８】本実施形態の解剖台の吸気ダクトを一部省略した側面図であり、昇降機構によって上部フレームを下降させた状態を示す。
【図９】前部を切断した状態のトレイの背面斜視図
【図１０】解剖施設の室内レイアウトの一例を示す概略平面図
【発明を実施するための形態】
【００１４】
以下、本発明の実施形態について図面を基に説明する。図１〜５は、本発明に係る解剖システムの実施形態を示す図である。図１は解剖台の上部フレームを上昇させた状態で、解剖台の吸気ダクトを排気ダクトに接続した状態を示す側面図であり、図２は、図１の正面図である。図３は、図１の状態から解剖台の上部フレームを下降させて解剖台のトレイを流し台に架け渡した状態を示す側面図であり、図４は図３の平面図であり、図５は、図３の正面図である。
【００１５】
本実施形態の解剖システムは、解剖台１と、解剖台１に取付けられる吸気ダクト２と、流し台３と、排気ダクト４を備える。解剖台１は、架台５と、架台５上に置かれ、被剖検体Ａを載置するトレイ６とを有する。流し台３は、後面を解剖施設の室内壁Ｂに接するように配置される。排気ダクト４は、解剖施設に配設され、その上流側端部４ａは流し台３に付設される。すなわち、排気ダクトの上流側端部４ａは流し台３に付属するように設けられる。
【００１６】
具体的には、排気ダクトの上流側端部４ａを、流し台３の筐体内に収容したり、流し台３の下部に配置したり、流し台３に隣接するように配置することができる。ただ、トレイ６を流し台３に架け渡す態様を採用する場合には、排気ダクトの上流側端部４ａは、流し台３の下部に配置するのが吸気ダクト２を排気ダクト４に接続しやすいという点で好ましい。本実施形態では、排気ダクトの上流側端部４ａはボックス状に形成され、流し台３の下部に配置される。
【００１７】
架台５は、全体として前後方向に長く形成され、下部フレーム７と、下部フレーム７の上方に配される上部フレーム８と、下部フレーム７と上部フレーム８との間に介装され、上部フレーム８を昇降させる昇降機構９とを備える。下部フレーム７には、キャスター１１が取付けられており、これにより、解剖台１は水平方向の任意の方向に移動可能とされる。上部フレーム８には、トレイ６を前後方向にスライド可能に載置する複数のローラ１２が設けられる。
【００１８】
吸気ダクト２は、架台５の左右両測部に一対設けられる。吸気ダクト２，２は、架台５に沿うように上部フレーム８に固定される上部ダクト２ａと、下部フレーム７に固定される下部ダクト２ｃと、上部ダクト２ａと下部ダクト２ｃを連結する伸縮ダクト２ｂとを備える。本実施形態では、上部ダクト２ａは、前後方向に長く形成された長方体が上下二段に重ねられ、長方体同士が互いに連通するように形成されている。また、伸縮ダクト２ｂとしては、伸縮可能な蛇腹管が使用されている。
【００１９】
吸気ダクト２は、空気流れ方向の上流側端部、すなわち、上部ダクト２ａに、空気を吸い込むための吸気部１３が形成され、下流側端部２ｄは排気ダクトに対して接離可能、すなわち、接続及び分離可能に設けられる。具体的に、本実施形態では、上部ダクト２ａのうち、トレイ６よりも上方に突出した部分の内側壁に複数の吸気口が形成され、これが吸気部１３とされる。吸気ダクト２の下流側端部２ｄは、下部ダクト２ｃから後方に向かって水平方向に突出形成される。排気ダクト４の上流端には一対の吸込口１４，１４が形成される。吸込口１４は、流し台３の前面に向かって開口するように形成される。
【００２０】
吸気ダクト２の下流側端部２ｄと吸込口１４とは同じ高さに配設されており、解剖台１の水平方向移動操作によって、一対の吸込口１４，１４に対する一対の吸気ダクトの下流側端部２ｄ，２ｄの接離操作が可能とされる。図１及び３では、吸気ダクトの下流側端部２ｄを吸込口１４に接続した状態を示している。図示のごとく、吸気ダクトの下流側端部２ｄの先端部（以下、吸気ダクトの下流側先端部という場合がある）２ｄ１は、吸込口１４よりも小径の筒状に形成され、吸気ダクトの下流側先端部２ｄ1の基端にはフランジ部２ｄ２が設けられている。
【００２１】
排気ダクト４には図示しない排気ファンが介装されており、排気ファンが駆動することにより、吸込口１４から空気を吸い込んで解剖施設の外部に排気する構成とされる。吸込口１４の内側にはバネ（図示せず）の付勢力によって吸込口を閉鎖する蓋体１５が設けられている。これにより、排気ファンが駆動していないときは、蓋体１５が吸込口１４を密閉して、排気ダクト４から臭気が漏れない構造とされている。
【００２２】
上記構成の吸気ダクトの下流側端部２ｄを吸込口１４に接続する場合、図１に示すように、解剖台１を水平方向に移動させ、吸気ダクトの下流側先端部２ｄ１を吸込口１４に挿入することにより、バネの付勢力に抗して蓋体１５が内開きし、フランジ部２ｄ２が吸込口１４の周縁部に当接してそれ以上の吸気ダクトの下流側先端部２ｄ１の挿入が規制される。
【００２３】
排気ダクト４には、吸気ダクトの下流側先端部２ｄ１を所定位置まで吸込口１４に挿入したときに、排気ファンの運転をＯＮにする運転スイッチ４ｂが設けられる。これにより、解剖台１を移動させて吸気ダクトの下流側先端部２ｄ１を吸込口１４に挿入するだけで、排気ファンを駆動させることが可能となり、解剖システムとしての利便性を高めることができる。
【００２４】
運転スイッチ４ｂとしては、特に限定されるものでないが、本実施形態では、運転スイッチ４ｂとして吸込口の周縁部に近接スイッチが設けられ、フランジ部２ｄ２の接近（接触又は当接を含む）によりスイッチＯＮとなり、フランジ部２ｄ２が離れることにより、スイッチＯＦＦとなるように構成されている。
【００２５】
なお、吸気ダクト２は、下流側端部２ｄの長さ方向の少なくとも一部がフレキシブル配管で構成されたフレキシブル配管部２ｄ３を備えているのが好ましい。本実施形態では、吸気ダクト２の下流側端部２ｄにおいて、フランジ部２ｄ２の上流側に隣接する位置にフレキシブル配管部２ｄ３として、弾性変形可能な材料によって形成される蛇腹管が用いられている。
【００２６】
これにより、吸気ダクトの下流側先端部２ｄ１が開口部に勢いよく接触した場合であっても、フレキシブル配管部２ｄ３がクッションとなって吸気ダクト２や吸込口１４の破損を抑制することができる。また、フレキシブル配管部２ｄ３が有する可撓性によって、後述するように、吸気ダクト２を排気ダクト４に接続した状態で、解剖台１を傾斜させることが可能となる。
【００２７】
図６及び図８は、解剖台１の吸気ダクト２の一部を省略した側面図であり、図６は、昇降機構９によって上部フレーム８を上昇させた状態を示し、図８は、昇降機構９によって上部フレーム８を下降させた状態を示す。さらに、図７は、昇降機構９の一部を示す拡大斜視図である。
【００２８】
上部フレーム８は、左右一対のサイドフレーム８ａと、サイドフレーム８ａ，８ａ間に横架されるクロスフレーム（図示せず）とを備える。同様に、下部フレーム７も、左右一対のサイドフレーム７ａと、サイドフレーム７ａ，７ａ間に横架されるクロスフレーム７ｂとを備える。上部フレーム８には、左右のサイドフレーム８ａ，８ａの前側及び後側の２か所からそれぞれ下方に上部支持部材１６，１６が突設される。また、下部フレーム７には、左右のサイドフレーム７ａ，７ａの前側及び後側の２か所からそれぞれ上方に下部支持部材１７，１７が突設される。
【００２９】
図７に示すように、上部支持部材１６及び下部支持部材１７には、回動アーム１８が回動可能に連結される。上部支持部材１６と回動アーム１８は、第一シャフト１９まわりに回動可能とされ、下部支持部材１７と回動アーム１８は、第二シャフト２１まわりに回動可能とされる。回動アーム１８，１８は、第一シャフト１９に対して溶接等によって固定されており、第一シャフト１９において左右の回動アーム１８，１８の間には回動アーム１８に対して約９０°の位相差で駆動アーム２２が第一シャフト１９に固定される。すなわち、回動アーム１８，１８、第一シャフト１９及び駆動アーム２２は、一つのまとまった構成部品２３として機能する。
【００３０】
昇降機構９としては、上部支持部材１６、下部支持部材１７及び構成部品２３からなるユニットが２組用いられる。上記ユニットは、架台５の前側と後側の２か所にそれぞれ設けられ、各ユニットの駆動アーム２２，２２は、連動杆２４によって回動可能に連結される。これにより、平行リンク機構が構成される。一方、架台５の前面には操作ハンドル２５及び操作ハンドル２５を左右に回転させることで前後方向の長さが変化する駆動体２６が設けられる。ハンドル操作により、駆動体２６の長さが変化する機構は公知であり、たとえば、特開２０１２−７０９５７号に記載されている機構を用いることができる。
【００３１】
駆動体２６は、連結杆２４に連結軸２７によって連結されており、操作ハンドル２５の回転により、駆動体２６の前後方向の長さが変化し、その長さの変化に従って連結杆２７が前後方向に移動する。その結果、構成部品２３が第二シャフト２１まわりに回動し、構成部品２３の第一シャフト１９に連結された上部支持部材１６とともに上部フレーム８が昇降する。
【００３２】
図９は、前部を切断した状態のトレイ６の背面斜視図である。トレイ６の底面６ａの周囲には、全周にわたって側壁６ｂが形成されている。ただし、後側壁の中央部のみ側壁が設けられておらず、いいかえれば、側壁６ｂを切り欠いた形状とされ、トレイ６に溜まった体液等を排出する排液部６ｃとされる。下部フレーム７の前側には、解剖台１の傾斜装置２８としてペダルロックが設けられる。この傾斜装置２８によって、解剖台１の前側を後側よりも高く傾斜させた状態で、解剖台１の移動をロックすることができる。解剖台１を傾斜させることにより、体液等を速やかに排液部６ｃに導き、流し台のシンク２９に排出することができる。
【００３３】
トレイ底面６ａの裏面後端部には、流し台３のシンク前壁２９ａに上方から嵌合可能な断面逆Ｕ字形の規制部３０が形成され、これにより、規制部３０が上方からシンク前壁２９ａに嵌合した状態で、トレイ６が上部フレーム８のローラ１２上を移動するのを規制可能とされている。トレイ底面６ａは、左右方向に凸状に湾曲した湾曲面とされる。トレイの底面６ａは、トレイ６の前方から後方に向かうに従って湾曲度合が徐々に緩やかになるように形成される。被剖検体Ａは、頭部がトレイ前方を向くように載置される。これにより、胸部は切開時にトレイ底面６ａの湾曲面に沿って開きやすく、解剖を容易に行なうことができる一方、足部側はトレイ底面６ａが平坦になっているため、被剖検体Ａの安定載置が可能となる。
【００３４】
上記構成の解剖システムの使用方法について説明する。図１０は、解剖施設の室内レイアウトの一例を示す概略平面図である。室内壁Ｂに沿って流し台３と、保冷庫Ｃが配置される。保冷庫Ｃ内には、被剖検体Ａが載置されたトレイ６を出し入れする図示しない搬送ローラが敷設されており、そのローラ上でトレイ６ごと被剖検体Ａが保管される。
【００３５】
被剖検体Ａを解剖するときは、図示のごとく、解剖台１を保冷庫Ｃに横付けにする。このとき、解剖台１は、上部フレーム８を上昇させて、上部フレーム８のローラ１２と、保冷庫Ｃの搬送ローラとを同じ高さになるように調整する。その後、保冷庫Ｃ内から被剖検体Ａが載置されたトレイ６を引き出して、上部フレーム８上に載せる。
【００３６】
被剖検体Ａを載置した解剖台１は、図１に示すように、矢印Ｄの方向に移動させて、流し台３の下部に配置された排気ダクト４の吸込口１４に吸気ダクトの下流側先端部２ｄ１を挿入する。このとき、トレイ６が流し台３のシンク前壁２９ａに接触せずにその上を越えるように、上部フレーム８は上昇させた状態とする。
【００３７】
なお、解剖台１と流し台３とに矢印等の位置合せ手段を形成することで、吸気ダクトの下流側先端部２ｄ１が吸込口４の周辺の排気ダクト４への接触を回避することができる。吸気ダクトの下流側端部２ｄに形成されたフランジ部２ｄ２が吸込口１４に近接すると、排気ファンの運転スイッチがＯＮとなるとともに、流し台３に取り付けられた図示しない点灯装置が点灯する。
【００３８】
この場合、解剖台１の左右に形成された一対の吸気ダクトの下流側先端部２ｄ１，２ｄ１の両方が、吸込口１４に近接したときに、点灯装置が点灯するように設定しておけば、点灯装置が点灯することで、解剖台１が所期の正しい姿勢で吸込口１４に接続されたことを視認することができる。
【００３９】
その後、昇降機構９を操作して上部フレーム８を下降させることにより、トレイ６を流し台３（シンク２９）に架け渡すことが可能となる。その後、傾斜装置２８によって解剖台１の前側を高くすることで、解剖台１を傾斜させてから解剖が行われる。このとき、トレイ６も傾斜することになるが、規制部３０がシンク前壁２９ａに係合することにより、トレイ６の移動を規制することができる。
【００４０】
解剖台１の上方の天井部には清浄な空気を吹き出す吹出ファンを備えた空気吹出部（図示せず）が設けられており、解剖台１に向かって吹き出された空気は、吸気部１３から吸気され、速やかに室外に排気される。このように、プッシュアンドプル方式を採用することによって、有害ガスの室内への拡散を抑制して効率よく室外へ排気することが可能となる。なお、吹出ファンは排気ファンの運転スイッチ４ｂに連動して運転させるようにすることも可能である。
【００４１】
解剖終了後は、解剖台１はそのまま流し台３に接続した状態で設置しておくことが可能なほか、室内の隅へ移動させることで、室内のスペースを他の用途に有効利用することができる。さらに、保冷庫Ｃの内部又は下部に解剖台の収容スペースを設け、解剖台１を矢印Ｅの方向に移動させることで解剖台１の設置スペースまで有効利用することが可能となる。なお、流し台３には、手動で操作可能な排気ファンのＯＮ／ＯＦＦスイッチを設けることもできる。これにより、解剖台１を流し台３に接続した状態で置いておく場合に、ＯＮ／ＯＦＦスイッチを操作することにより、手動で排気ファンや吹出ファンを停止させることが可能となる。
【００４２】
解剖台１を移動させる手順としては、傾斜装置２８をもとの状態に戻して解剖台１の前側キャスター１１を接地させる。次いで、昇降機構９により、上部フレーム８を上昇させて規制部３０をシンク前壁２９ａから離脱させる。そして、解剖台１を前方に移動させることにより、吸気ダクトの下流側端部２ｄを排気ダクトの吸込口１４から離脱させることができる。これによって、排気ファンが停止し、蓋体１５によって吸込口１４が閉鎖される。
【００４３】
以上、本発明の実施形態につき説明したが、本発明の範囲はこれに限定されるものではなく、発明の趣旨を逸脱しない範囲で種々の変更を加えて実施することができる。たとえば、本実施形態において、昇降機構は、公知の機構であれば制限なく使用することができる。具体的に、下部フレームと上部フレームとを連結するＸ字形リンクを設け、操作ハンドルによりＸ字形リンクの上端部間距離を変化させることで上部フレームを昇降させることができる。
【００４４】
また、本実施形態では、トレイの側壁の一部を切り欠いてに排液部を設け、トレイをシンクに架け渡すことによってトレイからシンク内に排液していたが、排液部を設けず、トレイ底面にフレキシブル配管からなる排液管を接続し、トレイを流し台から離した状態のままこの排液管と流し台の排液管とをカプラー接続等によって接離可能に設けることも可能である。
【００４５】
また、本実施形態では、吸気ダクトの下流側端部は解剖台の左右に一対設けられているが、これに限らず、左右の吸気ダクトを途中で合流させ、吸気ダクトの下流側端部は一つにして、吸込口も一つにすることも可能である。実施形態及び上記変形例に開示されている構成要件は互いに組合せ可能であり、組合せることにより、新しい技術的特徴を形成することができる。
【符号の説明】
【００４６】
１              解剖台
２              吸気ダクト
２ａ            上部ダクト
２ｂ            伸縮ダクト
２ｃ            下部ダクト
２ｄ            吸気ダクトの下流側端部
２ｄ１          吸気ダクトの下流側先端部
２ｄ２          フランジ部
２ｄ３          フレキシブル配管部
３              流し台
４              排気ダクト
４ａ            排気ダクトの上流側端部
５              架台
６              トレイ
６ａ            トレイ底面
６ｂ            側壁
６ｃ            排液部
７              下部フレーム
７ａ            サイドフレーム
７ｂ            クロスフレーム
８              上部フレーム
８ａ            サイドフレーム
９              昇降機構
１１            キャスター
１２            ローラ
１３            吸気部
１４            排気ダクトの吸込口
１５            蓋体
１６            上部支持部材
１７            下部支持部材
１８            回動アーム
１９            第一シャフト
２１            第二シャフト
２２            駆動アーム
２３            構成部品
２４            連動杆
２５            操作ハンドル
２６            駆動体
２７            連結軸
２８            傾斜装置
２９            シンク
２９ａ          シンク前壁
３０            規制部
Ａ              被剖検体
Ｂ              室内壁
Ｃ              保冷庫
【図１】
2019013521.tif 000003
【図２】
2019013521.tif 000004
【図３】
2019013521.tif 000005
【図４】
2019013521.tif 000006
【図５】
2019013521.tif 000007
【図６】
2019013521.tif 000008
【図７】
2019013521.tif 000009
【図８】
2019013521.tif 000010
【図９】
2019013521.tif 000011
【図１０】
2019013521.tif 000012